(57)【要約】      （修正有）【課題】建築又は土木工事現場において、従来よりも容易に作業スケジュール等の情報の告知をすることができる電光表示装置を提供する。【解決手段】建築又は土木工事現場で用いられる電光表示装置であって、少なくとも月曜日から土曜日までの各曜日に対応する情報を電光表示する曜日情報表示部１１と、任意の情報を電光表示する任意情報表示部１２と、を備える。作業スケジュール等の情報を電光表示することにより、手書きする手間を省くことができるため、従来よりも容易に作業スケジュール等の情報の告知をすることができる。【選択図】図１
0003194210.tif 000002
【実用新案登録請求の範囲】
【請求項１】
建築又は土木工事現場で用いられる電光表示装置であって、
少なくとも月曜日から土曜日までの各曜日に対応する情報を電光表示する曜日情報表示部と、
任意の情報を電光表示する任意情報表示部と、
を含む電光表示装置。
【請求項２】
請求項１の電光表示装置であって、
上記各曜日に対応する情報及び上記任意の情報を有線で受信するためのケーブルが挿入されるケーブル挿入部と、
上記各曜日に対応する情報及び上記任意の情報が記録された可搬型記録媒体が挿入される可搬型記録媒体挿入部と、
を更に含む電光表示装置。
【請求項３】
請求項１又は２の電光表示装置であって、
上記曜日情報表示部は、上記各曜日に対応する情報のそれぞれを、最大で８から１４個の全角文字を同時に表示可能なＬＥＤ表示部で電光表示する、
電光表示装置。
【請求項４】
請求項１から３の何れかの電光表示装置であって、
任意の情報が記載された記載表示部と、
上記電光表示装置が配置される環境の明るさに基づいて自動点灯することにより上記記載表示部を照らす照明部と、
を更に含む電光表示装置。
【考案の詳細な説明】
【技術分野】
【０００１】
この考案は、建築又は土木工事現場において作業スケジュール等の情報を表示する技術に関する。
【背景技術】
【０００２】
建築又は土木工事現場において、近隣の方々のために作業スケジュールの告知が行われることがある。従来は、ホワイトボードに作業スケジュールを手書きすることにより、この告知が行われていた。
【考案の概要】
【考案が解決しようとする課題】
【０００３】
しかしながら、作業スケジュールの手書きには手間がかかるという問題があった。
【０００４】
この考案の目的は、作業スケジュール等の情報の告知が従来よりも容易な電光表示装置を提供することである。
【課題を解決するための手段】
【０００５】
この考案の一態様による電光表示装置は、建築又は土木工事現場で用いられる電光表示装置であって、少なくとも月曜日から土曜日までの各曜日に対応する情報を電光表示する曜日情報表示部と、任意の情報を電光表示する任意情報表示部と、を備えている。
【考案の効果】
【０００６】
作業スケジュール等の情報を電光表示することにより、手書きする手間を省くことができるため、従来よりも容易に作業スケジュール等の情報の告知をすることができる。
【図面の簡単な説明】
【０００７】
【図１】電光表示装置の例を示す図。図１Ａは正面図。図１Ｂは左側面図。図１Ｃは背面図。
【図２】電光表示装置の表示の例を示す図。
【図３】電光表示装置の例の分解図。
【図４】電光表示装置からフロントケース２及びパネル３を除いた状態の例を示す図。図４Ａは正面図。図４Ｂは図４ＡのＸ‐Ｘ断面図。図４Ｃは電光表示装置の上部方向から見た照明部１４の透過図。
【考案を実施するための形態】
【０００８】
以下、図面を参照して、考案である電光表示装置の一例について説明する。
【０００９】
図１Ａは電光表示装置の正面図であり、図１Ｂは電光表示装置の左側面図であり、図１Ｃは電光表示装置の背面図である。また、図３は、電光表示装置の分解図である。
【００１０】
電光表示装置は、図１及び図３に例示するように、枡状のリアケース１と、矩形の枠体であるフロントケース２と、リアケース１とフロントケース２とで挟まれることにより固定されるパネル３とを備えている。
【００１１】
図４Ａから図４Ｃに、電光表示装置からフロントケース２及びパネル３を除いた状態の例を示す。図４Ａは正面図であり、図４Ｂは図４ＡのＸ‐Ｘ断面図であり、図４Ｃは電光表示装置の上部方向から見た照明部１４の透過図である。
【００１２】
リアケース１は、枡状であり、鋼板により構成されている。鋼板には、腐食を防ぐために防錆下地処理及び焼付塗装が施されている。
【００１３】
枡状のリアケース１の内部の底面の中央部には、月曜日から日曜日までの各曜日に対応する情報を電光表示する曜日情報表示部１１が設けられている。各曜日に対応する情報とは、例えばその各曜日の作業スケジュールである。曜日情報表示部１１は、７個のＬＥＤ表示部１１１から構成されている。言い換えれば、曜日情報表示部１１は、７段のＬＥＤ表示部１１１で構成されている。７個のＬＥＤ表示部１１１はそれぞれ月曜日、火曜日、水曜日、木曜日、金曜日、土曜日、日曜日に対応する情報を電光表示する。
【００１４】
ＬＥＤ表示部１１１は、最大で１２個の全角文字を同時に表示可能なＬＥＤ表示装置である。ＬＥＤ表示部１１１は、文字を横向きに表示する。ＬＥＤ表示部１１１は、全角一文字を16ドット×16ドットで表示する。各ドットは、高輝度チップ型LEDにより構成される。ドットピッチは例えば４mmである。
【００１５】
リアケース１の内部の底面の下部には、任意の情報を電光表示する任意情報表示部１２が設けられている。任意情報表示部１２は、１個のＬＥＤ表示部１２１により構成されている。言い換えれば、任意情報表示部１２は、１段のＬＥＤ表示部１２１で構成されている。
【００１６】
ＬＥＤ表示部１２１は、ＬＥＤ表示部１１１と同様の、最大で１２個の全角文字を同時に表示可能なＬＥＤ表示装置である。
【００１７】
曜日情報表示部１１を構成するＬＥＤ表示部１１１と、任意情報表示部１２を構成するＬＥＤ表示部１２１とを同じＬＥＤ表示装置で構成することにより、電光表示装置の製造コストを下げることができる。
【００１８】
リアケース１の内部の底面の右下の角部に、電光表示装置が配置される環境の明るさを検出する光センサ１３が取り付けられている。
【００１９】
リアケース１の内部の底面の上部に、後述する記載表示部３１を照らす照明部１４が設けられている。照明部１４は、光センサ１３で検出された電光表示装置が配置される環境の明るさに基づいて自動点灯することにより記載表示部３１を照らす。
【００２０】
照明部１４は、例えば、光センサ１３で検出された電光表示装置が配置される環境の明るさが所定の明るさ以上であるかを判定し、所定の明るさ以上であると判定された場合には点灯することにより、記載表示部３１を照らす。一方、所定の明るさ以上でないと判定された場合には、照明部１４は、点灯しない又は消灯する。
【００２１】
図４Ｃは、電光表示装置の上部方向から見た照明部１４の透過図である。この例では、照明部１４の上部側面に発光素子１４１が設けられている。発光素子１４１で発せられた光は、リアケース１の内壁で反射し、その反射した光がパネル３の裏面からパネル３の記載表示部３１を照らす。このような間接照明により、記載表示部３１を均等な明るさで照らすことができる。関節照明の効果を大きくするために、リアケース１の内壁の光反射率が高くなるような処理を施してもよい。例えば、リアケース１の内壁を例えば白色としてもよい。
【００２２】
照明部１４を設けることにより、暗くなっても記載表示部３１の記載が見えるという有利な効果を奏する。
【００２３】
電光表示装置は、図４Ｂに示す、ケーブル挿入部１５及び可搬型記録媒体挿入部１６を備えていてもよい。
【００２４】
ケーブル挿入部１５には、曜日情報表示部１１に表示する各曜日に対応する情報及び任意情報表示部１２に表示する任意の情報を有線で受信するためのケーブルが挿入される。この場合、曜日情報表示部１１及び任意情報表示部１２は、ケーブルを通して受信した情報に基づいて電光表示を行う。
【００２５】
ケーブル挿入部１５は、例えばＬＡＮインターフェースである。ケーブル挿入部１５は、ＵＳＢ等の他の有線通信が可能なインターフェースであってもよい。
【００２６】
可搬型記録媒体挿入部１６には、曜日情報表示部１１に表示する各曜日に対応する情報及び任意情報表示部１２に表示する任意の情報が記録された可搬型記録媒体が挿入される。
この場合、曜日情報表示部１１及び任意情報表示部１２は、可搬型記録媒体から読み込んだ情報に基づいて電光表示を行う。
【００２７】
可搬型記録媒体挿入部１６は、例えばＳＤカードインターフェースである。可搬型記録媒体挿入部１６は、フロッピー（登録商標）ディスク、MO、CD-R等の他の可搬型記録媒体用のインターフェースであってもよい。
【００２８】
電光表示装置の利用者は、図１Ｃに示すリアケース１の背面に設けられた配線カバー１７を開けることにより、ケーブル挿入部１５及び可搬型記録媒体挿入部１６にそれぞれケーブル及び可搬型記録媒体を抜き挿しすることができる。
【００２９】
ケーブル挿入部１５を備えることにより、ケーブル挿入部１５と有線で通信可能に接続された遠隔地にあるＰＣ等の端末で、曜日情報表示部１１及び任意情報表示部１２の表示を変更することが可能となる。
【００３０】
また、ケーブル挿入部１５と可搬型記録媒体挿入部１６との両方を備えることにより、電光表示装置への有線接続が不可能な場合であっても、可搬型記録媒体によって曜日情報表示部１１及び任意情報表示部１２の表示を変更することが可能となる。
【００３１】
フロントケース２は、矩形の枠体である。リアケース１と同様に、フロントケース２も、腐食を防ぐために防錆下地処理及び焼付塗装が施された鋼板により構成されている。フロントケース２は、枠体の最外縁部から垂直方向に延びる側壁２１を備えている。この結果、フロントケース２の断面は略Ｌ字形状となっている。
【００３２】
図３に示すように、フロントケース２の側壁２１には、複数の貫通孔２１２が設けられている。リアケース１とフロントケース２とでパネル３を挟み込んだ状態で、雄ねじを、貫通孔２１２に挿入しリアケース１に設けられている雌ねじに締結することにより、リアケース１とフロントケース２とパネル３とが一体として固定される。
【００３３】
パネル３は、略四角形状であり、ポリカーボネート等の透明な樹脂に任意の印刷又は塗付したカッティングシートを張り付けることにより例えば実現される。この場合、透明なパネル３のカッティングシートを張り付けない部分が、以下に述べるパネル３の透明な部分となる。
【００３４】
パネル３をリアケース１及びフロントケース２に取り付けたときに、曜日情報表示部１１及び任意情報表示部１２による電光表示が見えるようにするために、パネル３の、曜日情報表示部１１及び任意情報表示部１２に対応する部分は透明とされる。言い換えれば、パネル３をリアケース１及びフロントケース２に取り付けた状態における、パネル３の、曜日情報表示部１１及び任意情報表示部１２に対向する部分は、透明とされる。
【００３５】
図１の例では、パネル３をリアケース１及びフロントケース２に取り付けた状態における、パネル３の、曜日情報表示部１１に対向する部分の全体ではなく、同状態における、パネル３の、曜日情報表示部１１を構成するＬＥＤ表示部１１１に対向する部分のみが、透明とされている。
【００３６】
また、パネル３をリアケース１及びフロントケース２に取り付けた状態における、パネル３の、光センサ１３に対向する部分が透明とされる。光センサ１３は、この透明とされた部分を通して、電光表示装置が配置される環境の明るさを検出する。
【００３７】
パネル３の上部には、任意の情報が記載された記載表示部３１が設けられている。パネル３が透明である場合には、任意の情報を印刷又は塗付したシートを、透明なパネル３の裏面からパネル３に張り付けることにより、記載表示部３１は実現される。もちろん、直接パネル３に印刷又は塗付することにより、記載表示部３１を実現してもよい。
【００３８】
電光表示装置は、例えば建築又は土木工事現場を覆うアドフラット等のパネルに設置される。具体的には、並べて設置された複数のパネルに電光表示装置の大きさの穴を設けて、その穴に電光表示装置を嵌め込み、パネルと電光表示装置とが面一となるように固定することにより電光表示装置は設置される。この場合、電光表示装置の横幅（図１Ａに表示された電光表示装置の図１Ａの紙面に対して左右方向の長さ）を、電光表示装置が固定されるパネルの横幅の整数倍よりもわずかに小さくしてもよい。例えば、電光表示装置の横幅を、アドフラットパネルの横幅500cmの２倍である1000cmよりもわずかに小さい990cmとする。これにより、並べて設置された複数のパネルの境目と電光表示装置の両端とを合わせることが可能となり、パネルに設置された電光表示装置の見た目を綺麗にすることができる。
【００３９】
また、電光表示装置の厚さ（図１Ｂに表示された電光表示装置の図１Ｂの紙面に対して左右方向の長さ）は、電光表示装置の設置が可能又は容易となる厚さとしてもよい。例えば電光表示装置が建築又は土木工事現場を覆うアドフラット等のパネルに設置される場合には、電光表示装置の設置の際にパネルを背面から支持する単管パイプと電光表示装置とが衝突する可能性がある。この衝突が起こらないようにするために、電光表示装置の厚さを例えば75から80cmとする。
【００４０】
図２に、電光表示装置の表示の例を示す。
【００４１】
この図２の例では、曜日情報表示部１１の一番上のＬＥＤ表示部１１１には「(月)３Ｆ  床コンクリート」と電光表示され、曜日情報表示部１１の上から２番目のＬＥＤ表示部１１１には「(火)６Ｆ  鉄  骨  建  方」と電光表示され、曜日情報表示部１１の上から３番目のＬＥＤ表示部１１１には「(水)４Ｆ  床  鉄筋組立  」と電光表示され、曜日情報表示部１１の上から４番目のＬＥＤ表示部１１１には「(木)１Ｆ〜２Ｆ  内装工事」と電光表示され、曜日情報表示部１１の上から５番目のＬＥＤ表示部１１１には「(金)ＴＣ  クライミング  」と電光表示され、曜日情報表示部１１の上から６番目のＬＥＤ表示部１１１には「(土)クローラクレーン組立」と電光表示され、曜日情報表示部１１の上から７番目のＬＥＤ表示部１１１には「(日)    全  休  日      」と電光表示されている。これらのＬＥＤ表示部１１１の「(」「)」のみが半角文字であり、他の文字（スペースを含む）は全角文字である。全角１文字で、２文字の半角文字が表示可能である。
【００４２】
この例のように、多くの場合、建築又は土木工事現場の作業スケジュールは、全角１２文字で表示可能である。このため、この例では、ＬＥＤ表示部１１１を、最大で１２個の全角文字を同時に表示可能なＬＥＤ表示装置としている。しかし、もちろん、ＬＥＤ表示部１１１が最大で表示可能な全角文字の数は、１２でなくてもよい。例えば、ＬＥＤ表示部１１１は、最大で８から１４個の全角文字を同時に表示可能であってもよい。
【００４３】
また、この図２の例では、任意情報表示部１２のＬＥＤ表示部１２１には「全国労働安全週間  実施中」と電光表示されている。
【００４４】
このように、作業スケジュール等の情報を電光表示することにより、手書きする手間を省くことができるため、従来よりも容易に作業スケジュール等の情報の告知をすることができる。
【００４５】
また、この図２の例では、記載表示部３１に、「ご近隣の皆様へ／今週の作業予定」と２段で記載されている。ここで、「／」は改行を意味する。
【００４６】
さらに、この図２の例では、パネル３の、任意情報表示部１２の表示の周辺部には、「―おしらせ―」「株式会社○○組」「○○工事事務所」「お気づきの点は右記までご連絡下さい。  ＴＥＬ○○−○○○○−○○○○」等の表示がある。このように、パネル３には、任意の情報が記載されていてもよい。これらの任意の情報は、記載表示部３１の記載と同様に、これらの任意の情報が印刷又は塗付されたカッティングシートをパネル３の裏面から張り付けることにより表示されてもよいし、直接パネル３に印刷又は塗付されてもよい。
【００４７】
［変形例等］
ＬＥＤ表示部１１１及びＬＥＤ表示部１２１は、スクロール表示、幕引き表示、反転表示等の文字表示が可能であってもよい。
【００４８】
上記の例では、曜日情報表示部１１は、７個のＬＥＤ表示部１１１から構成されているが、ＬＥＤ表示部１１１の数はこれに限らない。例えば、曜日情報表示部１１を構成するＬＥＤ表示部１１１の数は、６個でもよい。この場合、曜日情報表示部１１は、６個のＬＥＤ表示部１１１で月曜日から土曜日までの各曜日に対応する情報を電光表示する。これは、建築又は土木工事現場においては日曜日が休日であることが多く、日曜日の作業スケジュールの表示が必ずしも要しないことを考慮したものである。ＬＥＤ表示部１１１の数を７個から６個にすることにより、電光表示装置の製造コストを下げることができる。
【００４９】
このように、電光表示装置の曜日情報表示部１１は、少なくとも月曜日から土曜日までの各曜日に対応する情報を電光表示できればよい。
【００５０】
一方、電光表示装置は、曜日情報表示部１１を構成するＬＥＤ表示部１１１及び任意情報表示部１２を構成するＬＥＤ表示部１２１以外のＬＥＤ表示部を備えていてもよい。これにより、電光表示装置が電光表示する情報量を増やすことができる。
【００５１】
この考案は、上記の実施形態及び変形例に限られず、その趣旨を逸脱しない範囲で適宜変更が可能であることはいうまでもない。
【符号の説明】
【００５２】
１      リアケース
１１    曜日情報表示部
１２    任意情報表示部
１３    光センサ
１４    照明部
１５    ケーブル挿入部
１６    可搬型記録媒体挿入部
２      フロントケース
３      パネル
【図１】
0003194210.tif 000003
【図２】
0003194210.tif 000004
【図３】
0003194210.tif 000005
【図４】
0003194210.tif 000006
【手続補正書】
【提出日】平成26年9月3日(2014.9.3)
【手続補正１】
【補正対象書類名】実用新案登録請求の範囲
【補正対象項目名】全文
【補正方法】変更
【補正の内容】
【実用新案登録請求の範囲】
【請求項１】
建築又は土木工事現場で用いられる電光表示装置であって、
少なくとも月曜日から土曜日までの各曜日に対応する情報を電光表示する曜日情報表示部と、
任意の情報を電光表示する任意情報表示部と、
を備えた電光表示装置。
【請求項２】
請求項１の電光表示装置であって、
上記各曜日に対応する情報及び上記任意の情報を有線で受信するためのケーブルが挿入されるケーブル挿入部と、
上記各曜日に対応する情報及び上記任意の情報が記録された可搬型記録媒体が挿入される可搬型記録媒体挿入部と、
を更に備えた電光表示装置。
【請求項３】
請求項１又は２の電光表示装置であって、
上記曜日情報表示部は、上記各曜日に対応する情報のそれぞれを、最大で８から１４個の全角文字を同時に表示可能なＬＥＤ表示部で電光表示する、
電光表示装置。
【請求項４】
請求項１から３の何れかの電光表示装置であって、
任意の情報が記載された記載表示部と、
上記電光表示装置が配置される環境の明るさに基づいて自動点灯することにより上記記載表示部を照らす照明部と、
を更に備えた電光表示装置。